(57)【要約】      （修正有）【課題】頻繁に書いては消すといった試行錯誤を繰り返し正解にたどり着くというパズル冊子の筆記用具を提供する。【解決手段】パズル冊子１０の開いているページの天に上クリップ１を挟み、地に下クリップ２を挟む。ノック式消しゴム６の軸に二重リング８を嵌入し、左側磁石１１に吸着させる。シャープペンシル５の軸に二重リング７を嵌入し、右側磁石１２に吸着させる。左側ペン案内板１３は、ノック式消しゴムが、パズル冊子の紙面に邪魔にならないようにペン尻を斜め横に向けるようにする。右側ペン案内板１４は、シャープペンシルが、パズル冊子の紙面に邪魔にならないようにペン尻を斜め横に向けるようにする。ゴムひも３は、上クリップと下クリップを繋ぐ。下クリップに、消しゴムかす粘着シート（９）を付ける。【選択図】図１
2017030339.tif 000002
【特許請求の範囲】
【請求項１】
冊子の開いたページの天地を二つのクリップで挟み、クリップに軸の一部に磁性体を固着した筆記具を吸着する磁石を固着したパズル冊子用筆記用具。
【請求項２】
請求項１の二つのクリップを弾性の紐で繋いだことを特徴とするもの。
【請求項３】
請求項１の一つのクリップに出っ張りの構造を設け、もう一方のクリップをここに挟むことにより、整理する形態を持つことを特徴とするもの。
【請求項４】
請求項２の弾性の紐で筆記具を括るフックを一つのクリップに設け、筆記具を任意にクリップに固定することを特徴とするもの。
【請求項５】
請求項１の一つのクリップに、消しゴムかすを粘着するシートを取り付けたことを特徴とするもの。
【発明の詳細な説明】
【技術分野】
【０００１】  本発明は、頻繁に書いては消すといった試行錯誤を繰り返し正解にたどり着くというパズル冊子の筆記用具に関する。
【背景技術】
【０００２】  パズル冊子の試行錯誤の手順で、シャープペンシルとノック式消しゴムの取り換え操作が煩雑であるため、思考が途絶え、スムーズに正解にたどり着かないことが、ままあった。
【発明の開示】
【発明が解決しようとする課題】
【０００３】  ページを開いているパズル冊子の天地をクリップで挟むと、ページとページの隙間が圧縮され、紙面が固くなり、下敷きを当てたのと同様に、書きやすさが向上する効果がある。
このクリップに、思考を妨げないように簡単にシャープペンシルとノック式消しゴムを置いておくことができ、かつ、電車内の揺れなどの日常よくあることで、シャープペンシルとノック式消しゴムの定位置がずれたりしないことを課題とする。
【課題を解決するための手段】
【０００４】  第１図において、パズル冊子（１０）の開いているページの天に上クリップ（１）を挟み、地に下クリップ（２）を挟む。
ノック式消しゴム（６）の軸に二重リング２（８）を嵌入し、左側磁石（１１）に吸着させる。
シャープペンシル（５）の軸に二重リング１（７）を嵌入し、右側磁石（１２）に吸着させる。
左側ペン案内板（１３）は、ノック式消しゴム（６）が、パズル冊子（１０）の紙面に邪魔にならないようにペン尻を斜め横に向けるようにする。
右側ペン案内板（１４）は、シャープペンシル（５）が、パズル冊子（１０）の紙面に邪魔にならないようにペン尻を斜め横に向けるようにする。
ゴムひも（３）は、上クリップ（１）と下クリップ（２）を繋ぐ。
下クリップ（２）に、消しゴムかす粘着シート（９）を付ける。
【発明の効果】
【０００５】    パズル冊子（１０）の開いているページの天と地を、それぞれ上クリップ（１）と下クリップ（２）で挟むことにより、ページとページの隙間が圧縮され、紙面が固くなり下敷きを当てたのと同様に、書きやすくなる。
さらに、紙面がめくれるのを抑えるので、パズルを解くことに集中できる。
パズルを解くために必要な補助情報を書いたり、消したりすること、つまり、使いたい筆記具のシャープペンシル（５）とノック式消しゴム（６）を簡単に交代できる。
ノック式消しゴム（６）が散らかした消しゴムかすは、消しゴムかす粘着シート（９）にまとめる。【０００５】  第３図において、ゴムひも（３）でシャープペンシル（５）とノック式消しゴム（６）を括り、結び目（４）を右側ゴムひも引掛け穴（２０）にひっかける。
シャープペンシル（５）とノック式消しゴム（６）が簡単に脱着できないようにロックした状態で、結び目（４）を右側ゴムひも引掛け穴（２０）から外せば、簡単に解除できる。【０００６】  第４図において、第３図のロック状態からさらに下クリップ（２）をパズル冊子（１０）の地から外し、ペン受け板（１７）に挟んだところである。
この状態では、シャープペンシル（５）とノック式消しゴム（６）、さらに、下クリップ（２）が上クリップ（１）に付着しており、上クリップ（１）を摘まめば片手で持つことができ、もう片方の手で次のページを開くことができる。
開いた新しいページの天を上クリップ（１）で挟み、地を下クリップ（２）で挟む。
さらに、結び目（４）を右側ゴムひも引掛け穴（２０）から外せば、図１の状態になる。【０００７】  消しゴムかす粘着シート（９）は、両面テープの基材の厚いもので、一方の面には摘まんで取り外しのできるように粘着剤は塗布されていない。
消しゴムかす粘着シート（９）は、交換できるように、粘着剤を保護するために両面とも剥離紙が付けられている。
消しゴムかす粘着シート（９）に、消しゴムかすが多くなり、新しい消しゴムかす粘着シート（９）が簡単に交換できるようになっている。
【発明の効果】
【０００８】  本発明により、パズル冊子（１０）の不用意にページがめくれず、紙面が下敷きを当てたように平らで適度な硬さで書きやすくなる。
シャープペンシル（５）、さらに、ノック式消しゴム（６）の着脱が簡単にでき、シャープペンシル（５）とノック式消しゴム（６）の交換が簡単にできる。
シャープペンシル（５）とノック式消しゴム（６）が簡単に外れないようにロック機能がある。
片手で、シャープペンシル（５）とノック式消しゴム（６）、さらに、下クリップ（２）を、上クリップ（１）にまとめて摘まめることができ、ページの切り替えが容易にできる。
【発明を実施するための形態】
【００１１】  請求項１は、シャープペンシル（５）、さらに、ノック式消しゴム（６）の着脱が簡単にできるように、上クリップ（１）に、左側磁石（１１）と右側磁石（１２）を設け、シャープペンシル（５）に二重リング１（７）を嵌入し、ノック式消しゴム（６）に二重リング２（８）を嵌入したものである。
請求項２は、上クリップ（１）と下クリップ（２）をゴムひも（３）で繋いだものである。
請求項３は、上クリップ（１）にペン受け板（１７）を取り付けたもので、ページの切り替え時、下クリップ（２）を挟んで置き、邪魔にならないようにする。
請求項４は、上クリップ（１）にゴムひも引掛けフック（１８），左側ゴムひも引掛け穴（１９），右側ゴムひも引掛け穴（２０）を設け、ゴムひも（３）でシャープペンシル（５）とノック式消しゴム（６）を括りやすいようにし、シャープペンシル（５）とノック式消しゴム（６）が容易に離脱できないようにする。
請求項５は、下クリップ（２）に消しゴムかす粘着シート（９）を張り付けたものである。
【図面の簡単な説明】
【００１２】
【図１】本発明の模式図である。
【図２】本発明の上クリップの構造を表す平面図と側面図である。
【図３】本発明の筆記用具を固定する方法を説明する図である。
【図４】本発明のページを切り替える方法を説明する図である。
【符号の説明】
【００１５】  １  上クリップ                    ２  下クリップ
３  ゴムひも                      ４  結び目
５  シャープペンシル              ６  ノック式消しゴム
７  二重リング１                  ８  二重リング２
９  消しゴムかす粘着シート      １０  パズル冊子
１１  左側磁石                    １２  右側磁石
１３  左側ペン案内板              １４  右側ペン案内板
１５  左側ペン支持ヅメ            １６  右側ペン支持ヅメ
１７  ペン受け板                  １８  ゴムひも引掛けフック
１９  左側ゴムひも引掛け穴        ２０  右側ゴムひも引掛け穴
【図１】
2017030339.tif 000003
【図２】
2017030339.tif 000004
【図３】
2017030339.tif 000005
【図４】
2017030339.tif 000006